(57)【要約】    【課題】案内手段により適正に案内されない状態で貯留手段を所定位置に取り付ける取り付け間違いを未然に防止できる遊技機を提供する。    【解決手段】前側が開放する箱状の筐体２と、この筐体２の前面に開閉自在に枢着された前面扉３とを備え、筐体２内の底板１４上の所定位置に筐体２の前側から案内手段１６を介して出し入れ自在に設けられた遊技媒体用の貯留手段６を備え、案内手段１６により適正に案内されない状態での貯留手段６の所定位置への移動を規制する規制手段２７を備える。【選択図】図４
2011000155.tif 000002
【特許請求の範囲】
【請求項１】
前側が開放する箱状の筐体（２）と、該筐体（２）の前面に開閉自在に枢着された前面扉（３）とを備え、前記筐体（２）内の底板（１４）上の所定位置に前記筐体（２）の前側から案内手段（１６）を介して出し入れ自在に設けられた遊技媒体用の貯留手段（６）を備えた遊技機において、前記案内手段（１６）により適正に案内されない状態での前記貯留手段（６）の前記所定位置への移動を規制する規制手段（２７）を備えたことを特徴とする遊技機。
【請求項２】
前記案内手段（１６）の前後方向の中間に前記規制手段（２７）を設けたことを特徴とする請求項１に記載の遊技機。
【請求項３】
前記案内手段（１６）は前記貯留手段（６）の下側の被案内部（１７）が前側から着脱自在に挿入され且つ該被案内部（１７）を前後方向に移動自在に案内する案内レール（２８）を有し、前記規制手段（２７）は前記被案内部（１７）が前記案内レール（２８）上に載って案内されるときに前記貯留手段（６）の移動を規制することを特徴とする請求項１又は２に記載の遊技機。
【請求項４】
前記貯留手段（６）の左右両側に前記被案内部（１７）を設け、前記底板（１４）上に前記各被案内部（１７）を案内する左右一対の前記案内レール（２８）を設け、該一対の案内レール（２８）のうち、少なくとも前記前面扉（３）の枢支側と反対の案内レール（２８）上に、該反対の案内レール（２８）上を案内される前記被案内部（１７）を規制する前記規制手段（２７）を設けたことを特徴とする請求項３に記載の遊技機。
【請求項５】
前記貯留手段（６）を受ける板金製の受け板（１５）を前記底板（１４）上に装着し、該受け板（１５）の左右両側に内向きに開放する左右一対の前記案内レール（２８）を一体に屈曲形成し、該案内レール（２８）の上側に、前記規制手段（２７）を構成する突起（２９）を一体に設け、前記貯留手段（６）に後側から当接して前記所定位置に規制する位置決め突起（２６ａ）と、前記所定位置の前記貯留手段（６）に前側から係脱自在に係合する係合片（２６ｂ）とを前記受け板（１５）に一体に設けたことを特徴とする請求項４に記載の遊技機。
【発明の詳細な説明】
【技術分野】
【０００１】
本発明は、筐体内に遊技媒体用の貯留手段を備えたスロットマシン等の遊技機に関し、案内手段により適正に案内されない状態で貯留手段を取り付ける取り付け間違いを未然に防止できるようにしたものである。
【背景技術】
【０００２】
スロットマシンでは、前側が開放する筐体の底板上にメダルホッパーを配置し、ゲームの開始に際して前面扉のメダル投入口からメダルが投入されると、選別手段を通過後のメダルをメダルホッパーに貯留し、また入賞役が成立すれば、入賞役の成立の難易度に応じて払い出し手段によりメダルホッパー内のメダルを前面扉の前側の受け皿へと払い出すようにしている。
【０００３】
メダルホッパーはメダルの補給を容易にする必要から、筐体の底板上に左右一対の案内レールを介して前後方向に出し入れ自在に装着され、前面扉を開放すれば筐体の前側からメダルホッパーを容易に出し入れできるようなっている。
【０００４】
このメダルホッパーの案内形態としては、メダルホッパーを支持する支持台の下端部の左右両側に、各案内レールにより摺動自在に案内される板状の被案内部を前後方向に設けたもの（特許文献１）と、支持台の下端後部の左右両側に、各案内レールにより転動自在に案内される車輪状の被案内部を設けたもの（特許文献２）とがある。
【先行技術文献】
【特許文献】
【０００５】
【特許文献１】特開２００４−１６７０７９号公報（特に図３参照）
【特許文献２】特開２００４−７９４１３号公報
【発明の概要】
【発明が解決しようとする課題】
【０００６】
このようにすれば、底板上の左右一対の案内レールによりメダルホッパーの下端の左右一対の被案内部を案内できるので、構造的に非常に簡単で容易且つ安価に製作できる上に、必要に応じてメダルホッパーを筐体の前側に引き出してメダルを容易に補給できる利点がある。
【０００７】
しかし、従来の構造では、案内レールから抜き取ったメダルホッパーを取り付ける際に問題がある。即ち、メダルホッパーを取り付ける場合には、左右の各被案内部を各案内レールに挿入した後、その案内レールに沿って被案内部を摺動させながら筐体内の所定位置へと移動させる必要がある。しかし、従来の構造では、一方の被案内部が一方の案内レールに挿入された状態であれば、他方の被案内部が他方の案内レール上に載った状態であっても、一方の案内レールに近い側でメダルホッパーの下部側を後方へと押すことにより、メダルホッパーを所定位置へ移動させることが可能である。
【０００８】
このため他方の被案内部が他方の案内レール上に載ってメダルホッパー全体が斜めに傾斜しているにも拘わらず、それを知らずに所定位置まで押し込んでメダルホッパーを傾斜状態に取り付ける惧れがある。そして、メダルホッパーが傾斜状態となれば、その払い出し口と前面扉側のメダル受け入れ口とがズレるため、メダルの払い出し時にメダルが詰まる等、メダルホッパー側、特に払い出し手段側の故障の原因ともなる。
【０００９】
本発明は、このような従来の問題点に鑑み、案内手段により適正に案内されない状態で貯留手段を取り付ける取り付け間違いを未然に防止できる遊技機を提供することを目的とする。
【課題を解決するための手段】
【００１０】
本発明は、前側が開放する箱状の筐体２と、該筐体２の前面に開閉自在に枢着された前面扉３とを備え、前記筐体２内の底板１４上の所定位置に前記筐体２の前側から案内手段１６を介して出し入れ自在に設けられた遊技媒体用の貯留手段６を備えた遊技機において、前記案内手段１６により適正に案内されない状態での前記貯留手段６の前記所定位置への移動を規制する規制手段２７を備えたものである。
【発明の効果】
【００１１】
本発明によれば、案内手段１６により適正に案内されない状態で貯留手段２７を所定位置に取り付ける取り付け間違いを未然に防止できる利点がある。
【図面の簡単な説明】
【００１２】
【図１】本発明の第１の実施形態を示すスロットマシンの斜視図である。
【図２】同筐体側の斜視図である。
【図３】同貯留手段側の正面断面図である。
【図４】同貯留手段側の側面断面図である。
【図５】同受け板の斜視図である。
【図６】同取り付け状態の正面断面図である。
【図７】同取り付け状態の側面断面図である。
【図８】本発明の第２の実施形態を示す貯留手段側の側面断面図である。
【図９】本発明の第３の実施形態を示す受け板の斜視図である。
【図１０】本発明の第４の実施形態を示す受け板の斜視図である。
【図１１】本発明の第５の実施形態を示す受け板の平面図である。
【図１２】同要部の側面断面図である。
【図１３】同要部の側面断面図である。
【図１４】本発明の第６の実施形態を示す支持台から下側の平面図である。
【図１５】同要部の正面断面図である。
【図１６】同要部の側面断面図である。
【発明を実施するための形態】
【００１３】
以下、本発明の実施形態を図面に基づいて詳述する。図１〜図７はスロットマシンに具現化した本発明の第１の実施形態を例示する。スロットマシン１は図１及び図２に示すように、前面側が開放する箱状の筐体２と、この筐体２の前側に配置され且つ左右一端側（例えば左側）のヒンジ（図示省略）により開閉自在に枢着された前面扉３とを備えている。
【００１４】
筐体２内には、複数個の図柄表示リール４ａ〜４ｃが左右方向に配列された表示リールユニット５の他、遊技媒体であるメダルを貯留する貯留手段６と、貯留手段６内のメダルを払い出す払い出し手段７と、貯留手段６から溢流したメダルを受ける補助ケース８と、電源基板が格納された電源基板ケース９と、主制御基板が格納された主制御基板ケース（図示省略）とが配置されている。表示リールユニット５は、筐体２の中間棚１０上に着脱自在に装着されている。
【００１５】
貯留手段６はメダルホッパー１２と、このメダルホッパー１２を下側から支持する支持台１３とを有し、メダルホッパー１２と支持台１３との間に払い出し手段７が設けられている。なお、払い出し手段７は貯留手段６の一部に組み込んでもよい。
【００１６】
支持台１３は板金製の矩形筒状であって、筐体２の底板１４の受け板１５上に左右一対の案内手段１６を介して前後方向に出し入れ自在に装着されている。支持台１３には、図３、図４に示すように、下端から外側に屈曲して突出する板状の被案内部１７が左右両側に設けられている。支持台１３上には払い出し手段７が傾斜状に装着されている。
【００１７】
払い出し手段７は、図３、図４に示すように、左右方向に傾斜して支持台１３上に固定された払い出しケース１８と、この払い出しケース１８上に回転自在に配置された回転円板１９と、払い出しケース１８の下側に装着された回転円板１９用の駆動モータ２０とを備え、回転円板１９によりメダルホッパー１２内のメダルを払い出し口２１から前側に払い出すようになっている。
【００１８】
メダルホッパー１２は平面視矩形状であって、このメダルホッパー１２の下部側には、図３、図４に示すように、払い出し手段７の回転円板１９が嵌合する傾斜円筒部２２が設けられ、その傾斜円筒部２２が払い出しケース１８に対して略垂直方向に着脱自在に固定されている。
【００１９】
筐体２の底板１４の上面には、図２に示すように、その前縁に板金製の補強板２３が左右方向に配置され、また支持台１３に対応する位置に板金製の受け板１５が配置されている。受け板１５は略矩形状であって、その前端側には左右両側に突出する取り付け部２４が設けられ、この取り付け部２４が補強板２３と共にネジにより底板１４に固定される等、前部側及び後部側の適当箇所でネジにより底板１４に固定されている。
【００２０】
受け板１５には図３〜図５に示すように、貯留手段６を案内する左右一対の案内手段１６と、貯留手段６を筐体２内の所定位置に位置決めする位置決め手段２６と、案内手段１６により適正に案内されない状態での貯留手段６の所定位置への移動を規制する規制手段２７とが一体に設けられている。
【００２１】
案内手段１６は図３〜図５に示すように、前後方向の案内レール２８により構成され、受け板１５の左右両側に一対設けられている。各案内レール２８は支持台１３の左右両側の被案内部１７を前後方向に摺動自在に案内するように、受け板１５の左右の側縁を上側内向きにコ字状に折り曲げて形成され、取り付け部２４から後側に配置されている。
【００２２】
なお、支持台１３の一対の被案内部１７は、支持台１３の左右の両側縁に沿って前後方向に設けられており、その各被案内部１７の外端間の間隔は略同じである。各案内レール２８は側壁部２８ａと、上壁部２８ｂとを有し、左右の側壁部２８ａ間の間隔、側壁部２８ａの上下幅は共に前側が後側よりも若干大であり、左右の案内レール２８間に左右の被案内部１７の後端側を挿入し易くなっている。
【００２３】
規制手段２７は図３〜図５に示すように、左右の一対の案内レール２８の内、前面扉３を枢支するヒンジと反対側（例えば右側）に配置された案内レール２８に設けられている。規制手段２７は右側の案内レール２８の前後方向の中間に配置されており、案内レール２８から上側に突出し且つ案内レール２８上を摺動する被案内部１７を規制する突起２９により構成されている。突起２９は前向きに開放する側面視コ字状であって、被案内部１７が前から当接する当接部２９ａと、被案内部１７の後端側の持ち上がりを押える押え部２９ｂとを有し、案内レール２８の上壁部２８ｂの一部を切り起こして一体に設けられている。
【００２４】
位置決め手段２６は図３〜図５に示すように、メダルホッパー１２が所定位置に位置したときに支持台１３に後側から当接する位置決め突起２６ａと、支持台１３に前側から係脱自在に係合する係合片２６ｂとを有する。位置決め突起２６ａは受け板１５の後部から上向きに突出して左右方向に配置されている。
【００２５】
係合片２６ｂは受け板１５と一体の前端側から後端側へと後ろ上がりに傾斜状に設けられており、貯留手段６の出し入れ時に支持台１３が乗り越えるようになっている。位置決め突起２６ａ、係合片２６ｂは受け板１５の一部を切り起こして一体に設けられている。また係合片２６ｂは左右に一対設けられている。
【００２６】
前面扉３の上部側には、図１に示すように第１表示窓３１と第２表示窓３２とが上下に配置されている。第１表示窓３１は、筐体２側の図柄表示リール４ａ〜４ｃに対応して矩形状に形成されており、遊技者はこの第１表示窓３１を介して図柄表示リール４ａ〜４ｃを前側から視認可能となっている。
【００２７】
第２表示窓３２は、前面扉３の裏側に装着された液晶表示ユニット（図示省略）の表示画面に対応して矩形状に形成されており、遊技者はこの第２表示窓３２を介して表示画面を前側から視認可能となっている。また第１表示窓３１の下側には、上部側に上操作パネル部３３と前操作パネル部３４とを有する前カバー３５が前側に張り出して設けられている。
【００２８】
上操作パネル部３３にはメダルを投入可能な投入口３６の他、１ベットボタン３７とマックスベットボタン３８とキャンセルボタン３９とが設けられている。１ベットボタン３７とマックスベットボタン３８は、投入口３６へのメダルの投入に代えてクレジットからメダルをベットするためのものである。
【００２９】
前操作パネル部３４には、図柄表示リール４ａ〜４ｃの回転を開始させるためのスタートレバー４０と、回転中の図柄表示リール４ａ〜４ｃを夫々個別に停止させるためのストップボタン４１ａ〜４１ｃと、投入口３６内に詰まったメダルを返却させるための返却ボタン４２とが設けられている。
【００３０】
前面扉３の下部には、払い出し手段７から払い出されたメダルや返却されたメダルを前側に排出するための排出口４３と、排出口４３から排出されたメダルを受ける受け皿４４とが設けられている。
【００３１】
なお、前面扉３の裏側には、投入口３６から投入されたメダルの正、不正を選別する選別手段と、選別手段を通過した正規のメダルをメダルホッパー１２へと案内する案内シュートと、選別手段により排除された不正メダル、返却メダルを排出口４３を経て受け皿４４へと排出する返却通路とが設けられている。
【００３２】
このようなスロットマシン１では、通常メダルホッパー１２は支持台１３を介して筐体２内の底板１４上の所定位置に位置決めされている。払い出し手段７の払い出し口２１が前面扉３側のメダル受け入れ口の裏側に対応している。
【００３３】
ゲームに際しては投入口３６から所定数のメダルを投入するかベットボタン３７，３８を押した後、スタートレバー４０を操作して表示リールユニット５の各図柄表示リール４ａ〜４ｃを回転させる。投入口３６にメダルを投入すると、そのメダルは選別手段に入り、この選別手段を通過する間に正、不正の判別が行われる。投入メダルの内、小径の不正メダルは返却通路を経て受け皿４４へと返却される。また正規のメダルは選別手段から案内シュートを経てメダルホッパー１２へと案内され、メダルホッパー１２に順次貯留される。
【００３４】
図柄表示リール４ａ〜４ｃの回転開始から所定時間が経過した後に各ストップボタン４１ａ〜４１ｃを操作すると、各図柄表示リール４ａ〜４ｃが順次停止する。そして、表示窓の入賞ライン上に停止表示される各図柄表示リール４ａ〜４ｃの表示図柄が所定の入賞役を構成すると、払い出し手段７が作動してメダルホッパー１２内のメダルを払い出し口２１から払い出す。そして、払い出されたメダルはメダル受け入れ口を経て受け皿４４へと案内される。
【００３５】
メダルホッパー１２内のメダルが少なくなれば、前面扉３を開けて筐体２内のメダルホッパー１２を所定位置から前側へと引き出した後、その引き出し位置でメダルホッパー１２にメダルを補給する。このときメダルホッパー１２の前側を持ち上げれば、支持台１３の下端が係合片２６ｂから上側に外れるので、その状態でメダルホッパー１２を前側へと引き出せば、支持台１３が案内レール２８により案内されながら引き出し位置へと移動する。
【００３６】
メダルの補給が完了すれば、支持台１３の各被案内部１７を左右の案内レール２８に挿入した後、受け板１５上の支持台１３を案内レール２８に沿って摺動させながら位置決め突起２６ａに当接する所定位置まで押し込む。そして、係合片２６ｂが支持台１３の前側に係合するので、メダルホッパー１２を所定位置に位置決めすることができる。
【００３７】
メダルホッパー１２を所定位置に取り付けるためには、支持台１３の被案内部１７を底板１４上の各案内レール２８内に挿入する必要がある。この場合、筐体２の左側にはヒンジ廻りに開放した状態の前面扉３があるので、作業者は前面扉３を避けて右寄りの位置からメダルホッパー１２の出し入れを行うのが通常である。そのため左側を下にして支持台１３を受け板１５上に載せる等すれば、左側の被案内部１７は左側の案内レール２８に容易に挿入できるが、右側の被案内部１７が右側の案内レール２８に入らずに、図６に示すように右側の案内レール２８上に載った状態となり、それを知らずにメダルホッパー１２を後方へと押し込むことがある。
【００３８】
このように右側の被案内部１７が右側の案内レール２８の上側に載った状態でも、所定位置側へと押せば右側の案内レール２８上を後方へと摺動する。しかし、右側の案内レール２８には規制手段２７があるので、右側の被案内部１７が右側の案内レール２８上を若干後方へと摺動すれば、図７に示すように、その右の被案内部１７が突起２９の当接部２９ａに当接するため、メダルホッパー１２がこの突起２９を乗り越えて所定位置に到達することはない。
【００３９】
従って、右側の被案内部１７が右側の案内レール２８に載ったままで不適正な状態にあるにも拘わらず、それを知らずにメダルホッパー１２を所定位置まで押し込んで取り付けてしまうような取り付け間違いを未然に防止できる。
【００４０】
また突起２９の当接部２９ａは案内レール２８の前後方向の略中央よりも若干後方に位置し、位置決め手段２６の位置決め突起２６ａと係合片２６ｂとの前後方向の間隔の略中央よりも若干後方にある。一方、支持台１３の前後方向の中心に対してメダルホッパー１２の前後方向の中心が若干後方に偏位しており、メダルホッパー１２、払い出し手段７及び支持台１３を含む貯留手段６の重心Ｇが支持台１３の前後方向の略中央よりも後方にある。このため被案内部１７の後端が突起２９の当接部２９ａに当接した時点でメダルホッパー１２の支持を解除しても、メダルホッパー１２、払い出し手段７及び支持台１３は、右側の被案内部１７が案内レール２８上の前半分に載った状態で安定することになり、メダルホッパー１２が前側に傾斜する等の問題はない。
【００４１】
しかも突起２９には当接部２９ａの上側に押え部２９ｂがあり、この押え部２９ｂが右側の被案内部１７に上側から係合可能であるため、被案内部１７が突起２９に当接して規制された後に、誤ってメダルホッパー１２の前縁等を下方に押え付けるようなことがあっても、メダルホッパー１２が前側に倒れるようなことはなく、左側の被案内部１７等の損傷を防止できる。
【００４２】
即ち、突起２９に押え部２９ｂがなければ、誤ってメダルホッパー１２の前縁等を下方に押え付けた場合には、左側の被案内部１７と案内レール２８とでメダルホッパー１２の前側への傾きを規制することになるため、左側の被案内部１７の後端部分に強大な外力が集中してその部分の変形を招く惧れがある。
【００４３】
しかし、この実施形態では、支持台１３の左側の被案内部１７には左側の案内レール２８が、右側の被案内部１７には突起２９の押え部２９ｂが夫々上側から係合しており、左右の被案内部１７の後端側を均等に押えるため、左側の被案内部１７と案内レール２８とで規制する場合のような損傷を防止できる。
【００４４】
右側の被案内部１７が突起２９に当接して規制された場合には、メダルホッパー１２を前側に引き出す。そして、右側の被案内部１７が右側の案内レール２８の前端を通過すれば、支持台１３の右側が受け板１５上に落下し、その後、メダルホッパー１２、支持台１３を一体に後方へと移動させることにより、左右の各被案内部１７が左右の案内レール２８間に挿入されて行くので、メダルホッパー１２を適正な状態で所定位置に取り付けることができる。
【００４５】
図８は本発明の第２の実施形態を例示する。この実施形態では、右側の被案内部１７が突起２９に当接したときに、メダルホッパー１２、払い出し手段７及び支持台１３を含む貯留手段６の重心Ｇが右側の案内レール２８の前端よりも若干前側に位置するように、案内レール２８に突起２９が設けられている。他の構成は第１の実施形態と同じである。
【００４６】
第１の実施形態では、突起２９で被案内部１７を規制したときには、メダルホッパー１２、払い出し手段７及び支持台１３を含む貯留手段６の重心Ｇが右側の案内レール２８の前端よりも後方に位置するようにしているが、この実施形態のようにその重心Ｇが右側の案内レール２８の前端よりも前であってもよい。
【００４７】
このように貯留手段６の重心Ｇが右側の案内レール２８の前端よりも前にある場合、メダルホッパー１２は前側に傾斜しようとする。しかし、当接部２９ａの上側に押え部２９ｂがあり、この押え部２９ｂが右側の被案内部１７に上側から係合するので、左右の被案内部１７の後端側を均等に押えることができ、メダルホッパー１２の傾斜を防止できる。また重心Ｇが案内レール２８の若干前に位置する程度では、メダル側の荷重等による突起２９の損傷も未然に防止できる。従って、突起２９で規制したときの重心Ｇは、案内レール２８上に必ずしもある必要はない。
【００４８】
図９は本発明の第３の実施形態を例示し、各案内レール２８上に規制手段２７を構成する突起２９が設けられている。他の構成は第１の実施形態と同様である。
【００４９】
案内レール２８に突起２９を設けるに当たっては、ヒンジと反対側にある案内レール２８に突起２９を設けるだけでなく、ヒンジに近い側にある案内レール２８にも突起２９を設けてもよい。
【００５０】
図１０は本発明の第４の実施形態を例示する。被案内部１７が突起２９に当接したときのメダルホッパー１２側の重心Ｇが案内レール２８の前端よりも後側か、又はその前端の近傍位置となる場合には、この実施形態に示すように当接部２９ａのみを有する突起２９でもよい。なお、突起２９は案内レール２８の長手方向に沿うものでもよいし、案内レール２８の幅方向に沿うものでもよい。他の構成は第１の実施形態と同様である。
【００５１】
図１１〜図１３は本発明の第５の実施形態を例示する。この実施形態では、規制手段２７に規制機能の他に案内機能を持たせて、支持台１３の被案内部１７が案内レール２８により適正に案内されない状態で所定位置へと移動しようとした場合に、その所定位置への移動を規制手段２７により規制するだけでなく、この規制手段２７により被案内部１７を案内レール２８内に誘導するようにしている。
【００５２】
規制手段２７は図１１〜図１３に示すように案内レール２８の前端部に設けられており、案内レール２８の上壁部２８ｂから上側に突出する突起２９を有し、この突起２９の前面側に、被案内部１７を案内レール２８内へと案内する傾斜案内部２９ｃが設けられている。
【００５３】
傾斜案内部２９ｃは図１２に示すように後下がりに傾斜してもよいし、図１３に示すように後上がりに傾斜してもよい。ただ、傾斜案内部２９ｃが後上がりの場合には、図１３に示すように上端部に前側へと突出する突部２９ｄを設けることが望ましい。なお、この実施形態では、突起２９は板金材の一部を折り曲げて案内レール２８に一体に設けているが、溶接、ネジ止め等で取り付けてもよい。他の構成は第１の実施形態と同様である。
【００５４】
この場合には、左側の被案内部１７を案内レール２８に挿入した後、被案内部１７を案内レール２８よりも高く持ち上げた状態でメダルホッパー１２を後方へと移動させようとすると、その右側の被案内部１７が突起２９の傾斜案内部２９ｃに当接する。
【００５５】
そして、図１２の場合には、被案内部１７が傾斜案内部２９ｃに沿って下がりながら案内レール２８へと案内されて行くので、その後、メダルホッパー１２を後方へと移動させればよい。
【００５６】
また図１３の場合には、被案内部１７が傾斜案内部２９ｃにより上側へと案内されようとするが、補給されたメダル等の重量に抗しての上昇は困難である。そして、メダルホッパー１２に対する後方への押圧力を解除すれば、被案内部１７が傾斜案内部２９ｃに沿って下降し受け板１５上に載るので、その後、メダルホッパー１２を後方へと移動させればよい。
【００５７】
図１４〜図１６は本発明の第６の実施形態を例示する。この実施形態では、支持台１３の左右両側の被案内部１７は車輪４５により構成され、メダルホッパー１２の出し入れに際しては、その車輪４５が案内レール２８に沿って前後方向に転動するようにしたものである。
【００５８】
車輪４５は支持台１３の後端部と中間部との２箇所に配置され、支持台１３の下部に左右方向に貫通する車軸４８の両端に回転自在に支持されている。なお、中間の車輪４５はメダルホッパー１２の重心Ｇの前後近傍が望ましい。支持台１３の前端部側には下側に突出する支持部４６が設けられ、この支持部４６と車輪４５とにより受け板１５上でメダルホッパー１２を略水平状態に保つようになっている。車輪４５は支持台１３の後端部のみでもよい。
【００５９】
規制手段２７の突起２９は案内レール２８上に載った車輪４５が切り欠き部４７に入らないように、案内レール２８の上壁部２８ｂの一部を後側から前側へと切り起こすことにより形成されている。なお、突起２９はその前側の案内レール２８上に２個の車輪４５が載り得るように車輪４５間の間隔に合わせて設けられている。他の構成は第１の実施形態と同様である。
【００６０】
メダルホッパー１２の出し入れは、メダルホッパー１２の前部側を若干持ち上げて案内レール２８に沿って車輪４５を前後方向に転動させながら行う。この場合にも、メダルの補給後にメダルホッパー１２を所定位置に戻すときに、右側の車輪４５が右側の案内レール２８に載ったままでメダルホッパー１２を所定位置へと押し込むことがあるが、案内レール２８に突起２９を設けることにより、車輪４５が案内レール２８上に載った状態でのメダルホッパー１２の取り付けを防止できる。
【００６１】
以上、本発明の各実施形態について詳述したが、本発明はこの実施形態に限定されるものではなく、本発明の趣旨を逸脱しない範囲で種々の変更が可能である。例えば、実施形態では、遊技媒体としてメダルを使用するスロットマシン１を例示しているが、遊技媒体はメダル以外の球等でもよいし、また遊技媒体を使用するものであれば、スロットマシン１以外の遊技機でもよい。またメダルを使用する遊技機の場合には、メダルの貯留用のタンクはホッパーが適当であるが、遊技媒体に応じてホッパー以外のものを使用してもよい。
【００６２】
案内手段１６は貯留手段６を所定位置とその前側位置との間で前後方向に案内するものであればよい。例えば各実施形態に例示するように被案内部１７が板状又は車輪状であれば、案内手段１６は正面視コ字状の案内レール２８が適当であるが、被案内部１７の形状、構造が変われば、それに応じて案内手段１６の形状、構造も適宜変更可能であることは云うまでもない。
【００６３】
規制手段２７は案内手段１６により適正に案内されずに貯留手段６が後方に移動するときにその移動を規制すればよく、被案内部１７に当接して規制してもよいし、被案内部１７から外れた位置で支持台１３の裏側に当接して規制してもよい。従って、支持台１３の裏側に当接して規制する場合には、規制手段２７は案内手段１６との間に間隔をおいて設けてもよい。
【００６４】
また被案内部１７に当接して規制する場合でも、規制手段２７は案内レール２８に一体に設ける他、案内レール２８上に突出するように筐体２の底板１４等の適当箇所に別途固定してもよい。更に案内レール２８は受け板１５の左右両側に一体に設けているが、左右の案内レール２８を連結する受け板１５を廃止し、左右の案内レール２８を別々に底板１４上に取り付けてもよい。遊技機はスロットマシン以外のものでもよい。
【符号の説明】
【００６５】
２  筐体
３  前面扉
６  貯留手段
１４  底板
１５  受け板
１６  案内手段
１７  被案内部
２６ａ  位置決め突起
２６ｂ  係合片
２７  規制手段
２８  案内レール
２９  突起
【図１】
2011000155.tif 000003
【図２】
2011000155.tif 000004
【図３】
2011000155.tif 000005
【図４】
2011000155.tif 000006
【図５】
2011000155.tif 000007
【図６】
2011000155.tif 000008
【図７】
2011000155.tif 000009
【図８】
2011000155.tif 000010
【図９】
2011000155.tif 000011
【図１０】
2011000155.tif 000012
【図１１】
2011000155.tif 000013
【図１２】
2011000155.tif 000014
【図１３】
2011000155.tif 000015
【図１４】
2011000155.tif 000016
【図１５】
2011000155.tif 000017
【図１６】
2011000155.tif 000018